Podtech/llm-jp-corpus-v4-ja_patent huggingface dataset:
【誤訳訂正書】
【提出日】平成27年5月20日(2015.5.20)
【誤訳訂正１】
【訂正対象書類名】明細書
【訂正対象項目名】発明の名称
【訂正方法】変更
【訂正の内容】
【発明の名称】精製白色セラミックス材料及びその調製方法
【誤訳訂正２】
【訂正対象書類名】明細書
【訂正対象項目名】０００１
【訂正方法】変更
【訂正の内容】
【０００１】
本発明は、セラミックス材料及びその調製方法、特に精製白色セラミックス材料及びその調製方法に関する。
【誤訳訂正３】
【訂正対象書類名】明細書
【訂正対象項目名】０００４
【訂正方法】変更
【訂正の内容】
【０００４】
本発明は精製白色セラミックス材料及びその調製方法を提供し、本発明のセラミックス材料を焼成してなるセラミックスはその結晶粒の寸法が均一になり、表面のラフネスが低く、破壊抵抗性が強い。
【誤訳訂正４】
【訂正対象書類名】明細書
【訂正対象項目名】０００５
【訂正方法】変更
【訂正の内容】
【０００５】
精製白色セラミックス材料を提供する。原料の配合比率は、酸化アルミニウム８７〜９３重量部、酸化マグネシウム０．８〜５重量部、二酸化ケイ素１〜６重量部、酸化カルシウム０．６〜４重量部、二酸化チタン０．０１〜０．５重量部、二酸化ジルコニウム０．５〜３重量部である。
【誤訳訂正５】
【訂正対象書類名】明細書
【訂正対象項目名】０００６
【訂正方法】変更
【訂正の内容】
【０００６】
本発明の精製白色セラミックス材料は溶剤と原料のボールミル混合法で調製される。
【誤訳訂正６】
【訂正対象書類名】明細書
【訂正対象項目名】０００７
【訂正方法】変更
【訂正の内容】
【０００７】
また、本発明は精製白色セラミックス材料の調製方法を提供し、本発明の調製方法は下記の工程を備えている。
（１）酸化アルミニウムボールとその装入容器を洗浄し、乾燥するまで待機する。
（２）０．５〜４重量部の溶剤ＮＰ―１０をボールミル用の装入容器に入れる。
（３）原料の配合比率は以下のようである。酸化アルミニウム８７〜９３重量部、酸化マグネシウム０．８〜５重量部、二酸化ケイ素１〜６重量部、酸化カルシウム０．６〜４重量部、二酸化チタン０．０１〜０．５重量部、二酸化ジルコニウム０．５〜３重量部。これらの原料をボールミル用の装入容器に入れ、７２±０.５時間ボールミル混合する。
【誤訳訂正７】
【訂正対象書類名】明細書
【訂正対象項目名】００２２
【訂正方法】変更
【訂正の内容】
【００２２】
本調製方法から調製されたセラミックス材料を焼成してなるセラミックスのＳＥＭ写真と、従来のセラミックスのＳＥＭ写真が、図１と図２に示される。このように、図１と図２を比較して見ると、改善されたセラミックスの結晶粒は寸法が均一になり、結晶粒は明らかに小さくなり、結晶粒の間が緊密に結合し、結晶粒界の分布と角度も合理的である。
【誤訳訂正８】
【訂正対象書類名】明細書
【訂正対象項目名】００２３
【訂正方法】変更
【訂正の内容】
【００２３】
ＳＥＮＢ（single edge notched beam）試験片を用い、本発明のセラミックス材料を焼成してなるセラミックスの破壊エネルギーを測定し、図３に示した。これを見ると本発明のセラミックス材料を焼成してなるセラミックスは従来のセラミックスより強度が６５％ほど向上し、破壊抵抗性を著しく高めている。
【誤訳訂正９】
【訂正対象書類名】明細書
【訂正対象項目名】００２７
【訂正方法】変更
【訂正の内容】
【００２７】
本発明のセラミックス材料を焼成してなるセラミックスは、表面のラフネスが低く、表面がより滑らかで、欠陥がより少なく、欠陥の寸法がより小さく、強度がより高い。
【誤訳訂正１０】
【訂正対象書類名】明細書
【訂正対象項目名】００２８
【訂正方法】変更
【訂正の内容】
【００２８】
【図１】図１は本発明のセラミックス材料を焼成してなるセラミックスのＳＥＭ写真である。
【図２】図２は従来のセラミックスのＳＥＭ写真である。
【図３】図３は本発明のセラミックス材料を焼成してなるセラミックスと従来のセラミックスの破壊強度試験対比図である。
【誤訳訂正１１】
【訂正対象書類名】特許請求の範囲
【訂正対象項目名】全文
【訂正方法】変更
【訂正の内容】
【特許請求の範囲】
【請求項１】
原料の配合比率が酸化アルミニウム８７〜９３重量部、酸化マグネシウム０．８〜５重量部、二酸化ケイ素１〜６重量部、酸化カルシウム０．６〜４重量部、二酸化チタン０．０１〜０．５重量部、二酸化ジルコニウム０．５〜３重量部であって、
溶剤としてのノニルフェノールポリオキシエチレンと原料のボールミル混合法で調製されることを特徴とする精製白色セラミックス材料。
【請求項２】
（１）酸化アルミニウムボールとその装入容器を洗浄し、乾燥後に待機する工程と、
（２）溶剤として０．５〜４重量部のノニルフェノールポリオキシエチレンをボールミル用の装入容器に入れる工程と、
（３）原料の配合割合を、酸化アルミニウム８７〜９３重量部、酸化マグネシウム０．８〜５重量部、二酸化ケイ素１〜６重量部、酸化カルシウム０．６〜４重量部、二酸化チタン０．０１〜０．５重量部、二酸化ジルコニウム０．５〜３重量部としてボールミル用の装入容器に入れ、ボールミルによる混合時間は７２時間±０.５時間である工程と、
を備え、
前記工程（１）における、酸化アルミニウムボールとその装入容器の洗浄方法は、酸化アルミニウムボールを洗浄後の装入容器に入れ、酸化アルミニウムボールが浸漬するまでエチルアルコールを入れ、装入容器を密封し、３時間±０.５時間でボールミル混合する工程を備えることを特徴とする精製白色セラミックス材料の調製方法。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
成形研磨粒子、及びガラス質の結合剤を含む結合媒質を含む、結合研磨物品であって、前記成形研磨粒子はそれぞれ、厚さｔによって分離される第１側部及び第２側部を含み、前記第１側部は第１幾何形状の外辺部を有する第１面を含み、厚さｔは前記粒子の最も短い側部に関連する寸法の長さと等しいか又はこれより小さい、結合研磨物品。
【請求項２】
二次研磨粒子を更に含む、請求項１に記載の物品。
【請求項３】
前記成形研磨粒子、及び二次研磨粒子は、溶融酸化アルミニウム材料、熱処理した酸化アルミニウム材料、セラミック酸化アルミニウム材料、焼結した酸化アルミニウム材料、炭化ケイ素材料、二ホウ化チタン、炭化ホウ素、炭化タングステン、炭化チタン、ダイアモンド、立方晶系窒化ホウ素、ガーネット、溶融アルミナジルコニア、ゾルゲルに由来する研磨粒子、酸化セリウム、酸化ジルコニウム、酸化チタン、又はこれらの組み合わせの粒子から独立に選択される、請求項２に記載の物品。
【請求項４】
前記二次研磨粒子は、特定の公称等級を有する破砕された研磨粒子から選択される、請求項２又は３に記載の物品。
【請求項５】
前記破砕された研磨粒子は、前記成形研磨粒子よりも小さいサイズのものである、請求項４に記載の物品。
【請求項６】
１０〜８０体積％の前記成形研磨粒子、及び１〜６０体積％の前記結合媒質を含む、請求項１〜５のいずれか一項に記載の物品。
【請求項７】
前記ガラス質の結合剤は、ガラス質の結合剤の総重量に基づき、２５〜９０重量％のＳｉＯ２、０〜４０重量％のＢ２Ｏ３、０〜４０重量％のＡｌ２Ｏ３、０〜５重量％のＦｅ２Ｏ３、０〜５重量％のＴｉＯ２、０〜２０重量％のＣａＯ、０〜２０重量％のＭｇＯ、０〜２０重量％のＫ２Ｏ、０〜２５重量％のＮａ２Ｏ、０〜２０重量％のＬｉ２Ｏ、０〜１０重量％のＺｎＯ、０〜１０重量％のＢａＯ、０〜５重量％の酸化金属を含む、請求項１〜６のいずれか一項に記載の物品。
【請求項８】
前記第１幾何形状は、三角形、及び四辺形から選択される、請求項１〜７のいずれか一項に記載の物品。
【請求項９】
前記成形研磨粒子及び二次研磨粒子のブレンドを含み、前記成形研磨粒子の量は、前記ブレンドにおける研磨粒子の総重量に基づいて、２０〜６０重量％の範囲内である、請求項１〜８のいずれか一項に記載の物品。
【請求項１０】
高性能研削用途における、請求項１〜９のいずれか一項に記載される物品の使用。
【請求項１１】
少なくとも１．５ｍｍ３／ｍｍ／秒のＱ’ｗの外径研削、少なくとも１ｍｍ３／ｍｍ／秒のＱ’ｗの内径研削、少なくとも１．５ｍｍ３／ｍｍ／秒のＱ’ｗの表面研削、少なくとも３ｍｍ３／ｍｍ／秒のＱ’ｗの外形研削、少なくとも８ｍｍ３／ｍｍ／秒のＱ’ｗの創成方法での外形研削、少なくとも４ｍｍ３／ｍｍ／秒のＱ’ｗのクリープフィード研削、少なくとも８ｍｍ３／ｍｍ／秒のＱ’ｗを備えるカムシャフト研削のための、請求項１０に記載の使用。
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
組織の状態を監視するための装置であって、
前記組織上に配設された少なくとも２つの導電性構造であって、前記少なくとも２つの導電性構造の各々は、非線形構成を有し、前記少なくとも２つの導電性構造は、互いに実質的に平行に配設される、前記少なくとも２つの導電性構造と、
少なくとも２つのブレース構造であって、前記少なくとも２つのブレース構造の各々が、前記少なくとも２つの平行な導電性構造の向きに対して実質的に垂直に配設され、前記少なくとも２つの平行な導電性構造のうちの少なくとも１つの導電性構造との電気通信状態にある、前記少なくとも２つのブレース構造と、
少なくとも１つのスペーサ構造であって、実質的に均一な離隔が前記少なくとも２つのブレース構造の間において維持されるように、前記少なくとも１つのスペーサ構造の各々の端部が、前記少なくとも２つのブレース構造の各々のブレース構造の一部分に物理的に結合される、前記少なくとも１つのスペーサ構造とを備え、
前記装置を使用した前記組織の電気特性の計測は、前記組織の状態の通知を提供する、装置。
【請求項２】
前記組織の状態は、前記組織の水分補給状態、失われた汗の容積、前記組織の機械的特性、前記組織の疾病状態、又は前記組織のＳＰＦ保護のレベルである、請求項１に記載の装置。
【請求項３】
前記少なくとも２つの導電性構造の各々は、ジグザグの形態、曲がりくねった構成、又は波打った構成を有する、請求項１に記載の装置。
【請求項４】
前記少なくとも２つのブレース構造の各々は、導電性材料から形成され、
前記少なくとも２つのブレース構造の各々は、前記少なくとも２つの導電性構造を外部回路に対して電気的にリンクしている、請求項１に記載の装置。
【請求項５】
前記少なくとも２つのブレース構造は、前記少なくとも２つの導電性構造のうちの隣接する導電性構造の離隔を実質的に均一な値に維持する、請求項１に記載の装置。
【請求項６】
前記少なくとも１つのスペーサ構造の各々は、前記少なくとも２つの平行な導電性構造の主方向に対して実質的に平行に配設される、請求項１に記載の装置。
【請求項７】
前記少なくとも２つのブレース構造の各々は、前記装置の少なくとも１つの電気接点との電気通信状態にあり、
前記少なくとも１つの電気接点は、電源、無線受信機、無線送信機、無線トランシーバ、及び温度センサの少なくとも１つとの電気通信状態にある、請求項１に記載の装置。
【請求項８】
前記装置は、隣接する導電性構造の間に配設された複数のクロスリンク構造を更に備え、
前記複数のクロスリンク構造の各々のクロスリンク構造は、誘電材料から形成される、請求項１に記載の装置。
【請求項９】
前記装置は、前記少なくとも２つの導電性構造の少なくとも一部分上に配設されたカプセル化層を更に備える、請求項１に記載の装置。
【請求項１０】
前記カプセル化層の一部分は、接着剤を有し、
前記接着剤は、前記カプセル化層の前記部分を前記組織に対して装着する、請求項９に記載の装置。
【請求項１１】
前記装置は、隣接する導電性構造の間に配設された複数のクロスリンク構造を更に備え、
前記複数のクロスリンク構造の各々のクロスリンク構造は、前記カプセル化層と同一の材料から形成される、請求項９に記載の装置。
【請求項１２】
前記カプセル化層は、ポリマーである、請求項９に記載の装置。
【請求項１３】
前記装置は、前記少なくとも２つの導電性構造の少なくとも一部分との物理的通信状態にある支持層を更に備え、
前記支持層は、ポリマーである、請求項１に記載の装置。
【請求項１４】
前記装置は、超音波装置を更に備え、
前記超音波装置は、前記組織の電気特性の計測値を提供する、請求項１に記載の装置。
【請求項１５】
前記超音波装置は、
対象の前記組織の第１部分の近傍に配設された超音波生成器であって、前記超音波生成器は、圧電結晶を有し、前記超音波生成器は、前記組織の一部分に向って超音波を導く、前記超音波生成器と、
前記第１部分とは異なる前記対象の組織の第２部分の近傍に配設された超音波レシーバとを含み、
前記超音波レシーバは、前記組織の前記第２部分に到来する超音波の計測を提供し、
前記組織の前記第２部分に到来する前記超音波の前記計測は、前記組織の状態の通知を提供する、請求項１４に記載の装置。
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
組込型状態表示を有する駆動機構であって、
駆動ハウジングと、
ユーザにフィードバックを与えるよう配置され、機械的なトリガを含む状態スイッチ相互接続部と、
基端、先端および前記先端の近傍のインタフェース面を有し、引き込み位置から伸張位置に移動するよう配置されたピストンと、
前記引き込み位置と前記伸張位置との間で前記ピストンを移動させるべく付勢力を及ぼすよう配置された駆動付勢部材と、
先端およびこの先端の近傍の径方向に延びるリングを有するカバースリーブであり、前記径方向に延びるリングが前記駆動付勢部材と前記ピストンの前記インタフェース面との間に配置されている、カバースリーブと、
キャップ、穿孔可能シール、バレルおよびプランジャシールを有する薬剤容器と
を備える駆動機構。
【請求項２】
前記穿孔可能シールに取り付けられた接続マウントを更に備える、請求項１に記載の駆動機構。
【請求項３】
前記駆動付勢部材は、前記ピストンの前記インタフェース面に付勢力を及ぼすよう配置され構成されている、請求項１に記載の駆動機構。
【請求項４】
前記状態スイッチ相互接続部は前記駆動ハウジングに取り付けられている、請求項１に記載の駆動機構。
【請求項５】
電気的な接触面、機械的な接触面および電気機械的な接触面からなる群より選ばれる少なくとも１つの接触面を更に備える、請求項１に記載の駆動機構。
【請求項６】
前記少なくとも１つの接触面は、最初に前記状態スイッチ相互接続部と接触状態にあるように、そして、当該駆動機構の動作中に、電源・制御システムへの送信を完結させてユーザにフィードバックを与えるために、前記状態スイッチ相互接続部から離脱させられるように構成されている、請求項５に記載の駆動機構。
【請求項７】
前記少なくとも１つの接触面は、最初に前記状態スイッチ相互接続部から離脱されるように、そして、当該駆動機構の動作中に、電源・制御システムへの送信を完結させてユーザにフィードバックを与えるために、前記状態スイッチ相互接続部と係合させられるように構成されている、請求項５に記載の駆動機構。
【請求項８】
漸増状態表示を有する駆動機構であって、
駆動ハウジングと、
外面および前記外面上の少なくとも２つの接点を有するピストンと、
前記ピストンを引き込み位置と伸張位置との間で移動させるべく付勢力を及ぼすよう配置された駆動付勢部材と、
先端および前記先端の近傍の少なくとも１つのスリーブフックを有する接触スリーブと、
ユーザにフィードバックを与えるよう配置され、前記スリーブフック上に位置されている状態スイッチ相互接続部と、
キャップ、穿孔可能シール、バレルおよびプランジャシールを有する薬剤容器と
を備える駆動機構。
【請求項９】
前記ピストンは、先端と、前記先端の近傍に配置されたインタフェース面と、基端と、前記基端の近傍の接触突起とを含み、前記駆動ハウジングは軸方向開口を含み、前記接触スリーブは、前記少なくとも１つのスリーブフックが前記インタフェース面と前記接触突起との間で前記ピストンと接触するように、前記駆動ハウジングの前記軸方向開口を通じて摺動可能に装着されている、請求項８に記載の駆動機構。
【請求項１０】
前記接触スリーブは、該接触スリーブの基端に、径方向に延びるリングを含み、前記リング上に少なくとも１つの屈曲突起が存在する、請求項９に記載の駆動機構。
【請求項１１】
前記接触スリーブの前記径方向に延びるリングに接続され、装着され、印刷され、またはその他の方法で取り付けられた接点を更に含み、
前記接点は、電源・制御システムへの送信を完結させてユーザへフィードバックを与えるために、前記状態スイッチ相互接続部と係合するように配置されている、請求項１０に記載の駆動機構。
【請求項１２】
前記ピストンは、先端と、基端と、接触突起と、該ピストンの前記基端の近傍のロック溝とを更に含み、前記ロック溝は、前記接触突起と前記ピストンの前記基端との間に配置されている、請求項８に記載の駆動機構。
【請求項１３】
組込型状態表示を有する薬剤送達ポンプであって、
ハウジングと、
アセンブリプラットフォームと、
起動機構と、
挿入機構と、
流体経路接続部と、
電源・制御システムと、
請求項１〜１２のいずれか一項に記載の駆動機構と
を備え、
前記起動機構、前記挿入機構、前記流体経路接続部、前記電源・制御システムおよび前記駆動機構は前記アセンブリプラットフォームに設けられている、薬剤送達ポンプ。
【請求項１４】
前記薬剤容器が薬剤流体を収容する、請求項１３に記載の薬剤送達ポンプ。
【請求項１５】
前記穿孔可能シールに取り付けられ、前記流体経路接続部により係合可能となっている、請求項１３に記載の薬剤送達ポンプ。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
高度にガラクトシル化されている抗体集団を含む組成物。
【請求項２】
抗体集団を含む組成物であって、
前記集団中の抗体のガラクトシル化のレベルが、少なくとも７０％であり、
前記抗体集団が、モノ−ガラクトシル化Ｎ−グリカンを含む抗体を含み、および、
前記集団の抗体が、同じ核酸配列によってコード化されている、組成物。
【請求項３】
前記集団中の抗体のガラクトシル化のレベルが、少なくとも８０％である、請求項２記載の組成物。
【請求項４】
抗体集団を含む組成物であって、
前記集団中の抗体のフコシル化のレベルに対する前記集団中の抗体のガラクトシル化のレベルの比が０．８〜１．２の間であり、
前記抗体集団が、モノ−ガラクトシル化Ｎ−グリカンを含む抗体を含み、および、
前記集団中の抗体が、同じ核酸配列によってコード化されている、組成物。
【請求項５】
前記抗体集団が、２ガラクトシル化Ｎ−グリカンを含む抗体、またはモノ−ガラクトシル化Ｎ−グリカン及び２ガラクトシル化Ｎ−グリカンの両方を含む抗体を含む、請求項４記載の組成物。
【請求項６】
前記集団中の抗体の少なくとも３５％が２ガラクトシル化Ｎ−グリカンを含み、および前記集団中の抗体の少なくとも５％がモノ−ガラクトシル化Ｎ−グリカンを含む、請求項４記載の組成物。
【請求項７】
前記集団中の抗体が、乳腺上皮細胞において遺伝子導入により産生されたものである、請求項４〜６いずれか１項記載の組成物。
【請求項８】
前記抗体集団の抗体が、乳腺上皮細胞において産生されたものでない抗体集団と比較して、高められたレベルの補体依存性細胞障害（ＣＤＣ）活性を有する、請求項４〜７いずれか１項記載の組成物。
【請求項９】
前記抗体集団の抗体が、乳腺上皮細胞において産生されたものでない抗体集団と比較して、高められたレベルの抗体依存性細胞媒介性細胞障害（ＡＤＣＣ）活性を有する、請求項４〜７いずれか１項記載の組成物。
【請求項１０】
前記集団中の抗体が抗−ＣＤ２０抗体である、請求項４〜９いずれか１項記載の組成物。
【請求項１１】
高度にガラクトシル化された抗体集団を作成する方法であって、
高度にガラクトシル化された抗体集団が産生されるように、乳腺上皮細胞において前記抗体集団を産生させることを含む、方法。
【請求項１２】
産生された前記抗体集団を採取することを更に含む、請求項１１記載の方法。
【請求項１３】
前記抗体集団のＣＤＣ活性を決定することを更に含む、請求項１１または１２記載の方法。
【請求項１４】
前記乳腺上皮細胞が、前記抗体をコード化する配列を含む核酸を乳腺において発現するように操作された非ヒト哺乳動物中にある、請求項１１〜１３いずれか１項記載の方法。
【請求項１５】
前記集団中の抗体のガラクトシル化のレベルが、少なくとも７０％である、請求項１１〜１４いずれか１項記載の方法。
【請求項１６】
前記集団中の抗体のフコシル化のレベルが、少なくとも８０％である、請求項１１〜１５いずれか１項に記載の方法。
【請求項１７】
前記集団中の抗体のフコシル化のレベルに対する前記集団中の抗体のガラクトシル化のレベルの比が、０．８〜１．２の間である、請求項１１〜１４いずれか１項記載の方法。
【請求項１８】
前記抗体集団が、モノ−ガラクトシル化Ｎ−グリカンを含む抗体を含む、請求項１１〜１７いずれか１項記載の方法。
【請求項１９】
前記集団中の抗体が、抗−ＣＤ２０抗体である、請求項１１〜１８いずれか１項記載の方法。
【請求項２０】
請求項４記載の抗体集団を発現する乳腺上皮細胞。
【請求項２１】
請求項２０記載の前記乳腺上皮細胞を含む遺伝子導入非ヒト哺乳動物。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
（ａ）ＲＧＤドメインが不活性化される修飾オステオポンチンポリペプチド；及び
（ｂ）薬学的に許容される及び／又は化粧品的に許容される添加剤、担体又は希釈剤：を含んでなる哺乳動物の発毛を促進する組成物であって、
ここで、修飾オステオポンチンポリペプチドは、
（ｉ）配列番号５［＝ＦＯＬ−００４］、若しくは、その配列番号３０［＝ＦＯＬ−００９］のアミノ酸配列を含むフラグメント；又は
（ii）配列番号６３［＝ＦＯＬ−００５］、若しくは、その配列番号８８［＝ＦＯＬ−００Ｘ］のアミノ酸配列を含むフラグメント；
のアミノ酸配列を含んでなり、
そしてここで、ポリペプチドは５０アミノ酸長未満である、
上記組成物。
【請求項２】
ポリペプチドは、２０アミノ酸長未満である、請求項１に記載の組成物。
【請求項３】
フラグメントは、配列番号５〜６２から成る群から選択されるアミノ酸配列を含む、又はそれから成る、請求項１又は２に記載の組成物。
【請求項４】
フラグメントは、配列番号６３〜１２０から成る群から選択されるアミノ酸配列を含む、又はそれから成る、請求項１又は２に記載の組成物。
【請求項５】
フラグメントは、配列番号５のアミノ酸配列を含む、又はそれから成る、請求項３に記載の組成物。
【請求項６】
フラグメントは、配列番号６３のアミノ酸配列を含む、又はそれから成る、請求項４に記載の組成物。
【請求項７】
ポリペプチドは、縦列反復を含む、又はそれから成る、請求項１〜６のいずれか１項に記載の組成物。
【請求項８】
ポリペプチドは、配列番号５又は６３のアミノ酸配列から成る、請求項１〜７のいずれか１項に記載の組成物。
【請求項９】
配列番号６３のアミノ酸配列、又は配列番号６３のアミノ酸配列の発毛促進活性を保持するそのフラグメント、若しくはそのバリアントを含んでなる、又はそれから成るポリペプチドであって、
ここで、フラグメントは配列番号８８のアミノ酸配列を含み、バリアントは配列番号３０のアミノ酸配列を含み、そしてここで、ポリペプチドは５０アミノ酸長未満である、
上記ポリペプチド。
【請求項１０】
フラグメントは、配列番号５〜６２から成る群から選択されるアミノ酸配列を含む、又はそれから成る、請求項９に記載の組成物。
【請求項１１】
バリアントは、配列番号６３〜１２０から成る群から選択されるアミノ酸配列を含む、又はそれから成る、請求項９に記載の組成物。
【請求項１２】
ポリペプチドは、配列番号５又は６３のアミノ酸配列を含む、又はそれから成る、請求項１０又は１１に記載のポリペプチド。
【請求項１３】
脱毛に関連する疾患又は病態の処置又は予防に用いる、請求項９〜１２のいずれか１項に記載のポリペプチド。
【請求項１４】
脱毛に関連する疾患又は病態の処置又は予防に用いる、請求項１〜８のいずれか１項に記載の組成物。
【請求項１５】
脱毛症の処置又は予防に用いる、請求項１４に記載の組成物。
【請求項１６】
脱毛症が成長期毛又は休止期毛の喪失に関連する、請求項１５に記載の組成物。
【請求項１７】
脱毛症が：
（ａ）男性ホルモン性脱毛症（アンドロゲン性脱毛症、alopecia androgenetica、男性型禿頭症又は女性型禿頭症としても知られる）；
（ｂ）牽引性脱毛症；
（ｃ）アナゲン脱毛；
（ｄ）テロゲン脱毛；
（ｅ）円形脱毛症；
（ｆ）完全脱毛症；
（ｇ）全身性脱毛症；
（ｈ）脱毛性毛瘡；
（ｉ）ムチン性脱毛症；
（ｊ）腫瘍性脱毛症；
（ｋ）瘢痕性脱毛症（cicatricial alopecia）；及び
（ｌ）瘢痕性脱毛症（scarring alopecia）；
から成る群から選択される、請求項１４〜１６のいずれか１項に記載の組成物。
【請求項１８】
哺乳動物の発毛促進のための薬剤の調製における請求項９〜１３のいずれか１項に記載の修飾オステオポンチンポリペプチドの使用。
【請求項１９】
薬剤は、脱毛症の処置又は予防のためである、請求項１８に記載の使用。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
ユーザーの鼻を覆うとともにユーザーの口を少なくとも部分的に覆い、酸素をユーザーに送るように構成されたフェイスマスクであって、
ガスのポケットを収容するようになされたリザーバーと、
ガスを該リザーバーへ送達するように構成された入口ポートと、
該フェイスマスクの正中線の両側に位置し、該リザーバーからのガスを該フェイスマスクから排出するように構成され、それぞれが中心を有する第１及び第２の通気口と、
該第１の通気口の該中心に位置する第１の側方サンプリングポートと該第２の通気口の該中心に位置する第２の側方サンプリングポートであって、各該第１及び第２の側方サンプリングポートは、該フェイスマスク内に延びて該リザーバーと流体連通しており、該リザーバー内の該ガスのポケットをサンプリングするように構成された第１及び第２の側方サンプリングポートと、
該第１及び第２の側方サンプリングポートのうちの少なくとも１つの上に位置し、導管に接続するように構成されたコネクターと、
を含むフェイスマスク。
【請求項２】
各前記第１及び第２の通気口は、それぞれの前記第１及び第２の側方サンプリングポートの周りを囲む複数の通気口孔を含むことを特徴とする、請求項１に記載のフェイスマスク。
【請求項３】
ユーザーの顔に取り外し可能に接続されて、前記フェイスマスク内にガスを保持するように構成されているマスク封止部分を形成するように構成された部分を更に含む、請求項１に記載のフェイスマスク。
【請求項４】
ユーザーの鼻を覆うとともにユーザーの口を少なくとも部分的に覆うように構成されたフェイスマスクを含む呼吸マスクシステムであって、
前記フェイスマスクは、
ガスのポケットを収容するようになされたリザーバーと、
ガスを該リザーバーへ送達するように構成された入口ポートと、
該フェイスマスクの正中線の両側に位置する第１及び第２の側方サンプリングポートと、
該フェイスマスク内のガスの流れを提供し、該リザーバーからのガスを放出するように構成された第１及び第２の通気口と、
該第１の側方サンプリングポートに連結され、呼吸ガスを検出するように構成されるセンサーと、を含み、
該第１の側方サンプリングポートが該第１の通気口の中心に位置し、該第２の側方サンプリングポートが該第２の通気口の中心に位置し、該第１及び第２の側方サンプリングポートが該リザーバーからの該呼吸ガスを検出するように構成される、
呼吸マスクシステム。
【請求項５】
前記センサーが検出した呼吸ガスのレベルが閾値量と異なる場合に信号を提供するように構成されているアラームを更に含む、請求項４に記載のシステム。
【請求項６】
前記センサーは、二酸化炭素圧力を検出するように構成されていることを特徴とする、請求項４に記載のシステム。
【請求項７】
前記フェイスマスクは、酸素入口ポートを更に含む、請求項４に記載のシステム。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
血管治療結果可視化のための装置であって、
処理ユニットと、
インターフェースユニットと、
表示ユニットとを有し、
前記インターフェースユニットが、第１の時点における血管構造の関心領域の第１の画像データを前記処理ユニットに供給し、第２の時点における血管構造の関心領域の少なくとも一つの第２の画像データを前記処理ユニットに供給し、前記第１の時点と前記第２の時点の間に血管治療が前記血管構造に適用され、
前記第１の時点は治療前状態に関連し、前記第２の時点は治療後状態に関連し、治療前状態と治療後状態の間に、関心領域内の血管構造に作用する医用インターベンションが実行されており、
前記処理ユニットが前記第１の画像データと前記少なくとも一つの第２の画像データを結合して結合結果可視化画像データを生成し、
前記表示ユニットが前記結合結果可視化画像データを表示する、
装置。
【請求項２】
前記処理ユニットが結合のために前記第１の画像データと前記第２の画像データをレジストレーションする、請求項１に記載の装置。
【請求項３】
前記血管治療が血管構造内部の所定医療装置の留置を有し、
前記インターフェースユニットが前記留置された装置の装置画像データを供給し、
前記処理ユニットが前記第１の画像データと前記第２の画像データに加えて前記装置画像データを結合して前記結合結果可視化画像データを生成する、
請求項１又は２に記載の装置。
【請求項４】
前記処理ユニットが少なくとも前記第１の画像データ及び／又は前記第２の画像データと前記装置画像データをレジストレーションする、請求項３に記載の装置。
【請求項５】
前記処理装置が少なくとも一つの画像処理サブステップの結果として前記装置画像データを供給し、前記画像処理サブステップが前記血管治療後の前記血管構造の関心領域の複数の二次画像データに基づく、請求項３又は４に記載の装置。
【請求項６】
前記第２の画像データのために、
前記インターフェースユニットが、中で前記装置が見えている第１の画像サブセットの複数の画像を供給し、中で前記血管構造が見えているマスク画像データとして第２の画像サブセットの少なくとも一つの画像を供給し、前記第１の画像サブセットと前記第２の画像サブセットは前記血管治療が適用された後の時点に関連し、
前記処理ユニットが、前記第１の画像サブセットの複数の画像を時間に沿って互いにレジストレーションして結合し、中で前記装置に関連する領域がブーストされるブースト装置画像データを生成し、
前記処理ユニットが前記第１の画像データ、前記ブースト装置画像データ、及び前記マスク画像データを結合して前記結合結果可視化画像データを生成する、
請求項３乃至５のいずれか一項に記載の装置。
【請求項７】
前記インターフェースユニットが第１の画像の第１のシーケンスを供給し、第２の画像の第２のシーケンスを供給し、前記シーケンスが時間に沿って複数の画像を有し、
前記処理ユニットが前記第１のシーケンスと前記第２のシーケンスを時間的にレジストレーションする、
請求項１乃至６のいずれか一項に記載の装置。
【請求項８】
前記インターフェースユニットが追加時点における前記血管構造の関心領域の追加画像データを供給し、前記追加時点が前記第１の時点と前記第２の時点の間に配置され、
前記処理ユニットが前記結合結果可視化画像データの生成のために前記追加画像データも結合する、
請求項１乃至７のいずれか一項に記載の装置。
【請求項９】
血管治療結果可視化のための医用イメージングシステムであって、
画像収集ユニットと、
請求項１乃至８のいずれか一項に記載の血管治療結果可視化のための装置とを有し、
前記画像収集ユニットが、前記血管構造の関心領域の第１の画像データを供給し、前記血管構造の関心領域の第２の画像データを供給する、
医用イメージングシステム。
【請求項１０】
血管治療結果可視化のための方法であって、
ａ）第１の時点における血管構造の関心領域の第１の画像データを供給するステップと、
ｂ）第２の時点における前記血管構造の関心領域の少なくとも一つの第２の画像データを供給するステップと、
ｃ）前記第１の画像データと前記少なくとも一つの第２の画像データを結合して結合結果可視化画像データを生成するステップと、
ｄ）前記結合結果可視化画像データを表示するステップとを有し、
前記第１の時点と前記第２の時点の間に前記血管構造へ血管治療が適用されている、
方法。
【請求項１１】
前記血管治療が前記血管構造内部の所定医療装置の留置を有し、
前記第１の画像データと前記第２の画像データに加えて、前記結合結果可視化画像データを生成するために前記留置された装置の装置画像データも結合される、請求項１０に記載の方法。
【請求項１２】
前記第２の画像データのために、
中で前記装置が見えている第１の画像サブセットの複数の画像が時間に沿って互いにレジストレーションされ、中で前記装置に関連する領域がブーストされるブースト装置画像データを生成し、
中で前記血管構造が見えているマスク画像データとして第２の画像サブセットの少なくとも一つの画像が供給され、前記第１の画像サブセットと前記第２の画像サブセットは前記血管治療が適用された後の時点に関連し、
ステップｃ）において、前記第１の画像データ、前記ブースト装置画像データ、及び前記マスク画像データが結合されて前記結合結果可視化画像データを生成する、
請求項１０又は１１に記載の方法。
【請求項１３】
追加時点における前記血管構造の関心領域の追加画像データが供給され、
前記追加時点が前記第１の時点と前記第２の時点の間に配置され、
前記追加画像データもステップｃ）において結合される、
請求項１０乃至１２のいずれか一項に記載の方法。
【請求項１４】
処理ユニットによって実行されるときに、請求項１０乃至１３のいずれか一項に記載の方法ステップを実行するように構成される、請求項１乃至８のいずれか一項に記載の装置を制御するためのコンピュータプログラム要素。
【請求項１５】
請求項１４に記載のプログラム要素を記憶したコンピュータ可読媒体。
【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
マイクロニードルアレイを患者の皮膚表面に送達するためのシステムであって、
ハウジングを有する送達装置と、
前記ハウジング内に着脱自在に受容される輸液装置と、を備え、
前記輸液装置は、
第１の主要面を具備した開放可能な端部を含み、流体を内部に有するリザーバと、
前記開放可能な端部の近傍の流路と、
前記第１の主要面に対して垂直な方向にエネルギを印加するように作動可能な、前記リザーバの近傍の第１の蓄エネルギ装置と、
取付面、及び該取付面の一部に接続された中空マイクロニードルアレイと、を有し、
前記流路は、前記中空マイクロニードルと流体的に連通している、システム。
【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
皮膚穿刺措置に関連する痛みを最小化するための器具であって、
前端を有する本体と、
前記本体へ自由に振動するように取り付けられて前記本体の前端から突出するロッドと、
第１の様式の動きで前記本体の前端に対して取り外し可能に取り付けられ、第２の異なる様式の動きを引き起こすことで前記本体から取り外し可能なチップスリーブから構成される単一使用のチップと、
ヒト又は動物の組織の予め選択された部位を振動させる形状を有するチップ部材と、を備え、
前記チップ部材は、前記ロッドに対して取り外し可能で堅く取り付けることができ、前記チップ部材及び前記チップスリーブは、弾性オーバーモールドで一体的に保持されるが離間して並置されて前記チップ部材が前記チップスリーブに対して自由に振動できるようになっており、
さらに、前記本体へ取り付けられるとともに前記ロッドへ連結されて、前記ロッドを介して前記チップ部材へ振動を与える振動ユニットを備え、
前記本体は前方へ突出する要素を含み、前記チップ部材は、前記突出する要素と協働する構造体を構成して、前記単一使用のチップの取り外しにより前記オーバーモールドが破断して、前記単一使用のチップのさらなる使用を不適当とするようになっている、器具。
【請求項２】
前記チップ部材の前記構造体は切欠きを含み、前記突出する要素は前記切欠きに受け入れられる歯部である、請求項１に記載の器具。
【請求項３】
前記器具は長手方向に伸長し、前記第１の様式の動きは直線式であり、前記第２の様式の動きは回転式である、請求項１に記載の器具。
【請求項４】
前記チップスリーブ及び前記本体上にあり前記チップスリーブを前記本体に対して係止する、相互に協働する要素をさらに含む、請求項１に記載の器具。
【請求項５】
前記振動ユニットをオン−オフデューティサイクルで制御する手段をさらに備える、請求項１に記載の器具。
【請求項６】
前記デューティサイクルは、約１秒間のオン及び約０．０５秒間のオフである、請求項５に記載の器具。
【請求項７】
前記チップは、前記予め選択された部位を規定する形状を有する、請求項１に記載の器具。
【請求項８】
前記ロッドは光ファイバであり、光は前記光ファイバを通って輝き、前記チップ部材を通って出射して前記予め選択された部位を照明する、請求項１に記載の器具。
【請求項９】
ヒト又は動物の組織の予め選択された部位の皮膚穿刺措置に関連する痛みを軽減する方法であって、
本体と、前記本体へ取り外し可能に取り付けられた使い捨てチップとを含む器具であって、前記使い捨てチップが、前記本体へ取り付ける取り付け部、振動チップ、並びに前記取り付け部及び前記振動チップを一体的に保持する弾性オーバーモールドを含む器具を準備する段階と、
前記本体に振動を発生させる段階と、
発生させた振動を前記チップに伝達して振動させる段階と、
振動するチップを予め選択された部位の組織に当てて前記組織を振動させる段階と、
同時に、前記予め選択された部位の組織を針で穿刺する段階と、
前記弾性オーバーモールドを引き裂いて前記使い捨てチップのさらなる使用を不適当とする段階と、を含む方法。
【請求項１０】
前記使い捨てチップを介して前記予め選択された部位を照明する段階をさらに含む、請求項９に記載の方法。
【請求項１１】
同時に前記振動をパルス化する段階をさらに含む、請求項９に記載の方法。
【請求項１２】
穿刺後に、組織の膨張を消散させるために前記予め選択された部位の振動を継続すると同時に前記予め選択された部位を照明する段階をさらに備える、請求項９に記載の方法。
【請求項１３】
前記予め選択された部位の振動を継続して、前記組織へより大きな圧力を加えて骨を鳴動させる段階をさらに含む、請求項９に記載の方法。
【請求項１４】
パルスのデューティサイクルは、約１秒間のオン及び約０．０５秒間のオフである、請求項１１に記載の方法。
【請求項１５】
前記振動チップの振幅は、約０．１ｍｍから約１．０ｍｍである、請求項１６に記載の方法。
【請求項１６】
器具と一緒に用いる単一使用の使い捨てチップであって、
前記器具は、振動ユニットと、当該振動ユニットによって振動されて当該器具の前端から突出するロッドとを含み、
前記単一使用の使い捨てチップは、前記器具の前端に取り外し可能に取り付けられるチップスリーブと、前記ロッドの突出端に取り外し可能に堅く取り付けられるチップ部材と、を備え、
前記チップ部材は、ヒト又は動物の組織に接触して振動させる形状を有し、前記チップスリーブ及び前記チップ部材は、オーバーモールドで覆われて離間した並置関係に一緒に保持され、これにより前記チップ部材は前記チップスリーブに対して自由に振動できるようになった、単一使用の使い捨てチップ。
【請求項１７】
前記チップスリーブは、前記スリーブ部材を１つの様式の動きで前記器具の上に置き、別の様式の動きで取り外すことが必要な係止要素を含み、前記チップ部材は、前記チップスリーブが回転する場合に前記オーバーモールドが引き裂かれるように、前記器具と協働して前記器具に対して固定状態となる構造体を有する、請求項１６に記載の単一使用の使い捨てチップ。
【請求項１８】
前記チップ部材と前記チップスリーブとの間の空間にある前記オーバーモールドの部分が薄肉化されている、請求項１６に記載の単一使用の使い捨てチップ。
【請求項１９】
前記チップ部材は、カップと、自由端を有し長手方向に延びる一体形成された前方部とを備え、前記前方部を覆う前記オーバーモールドは、部分的に、少なくとも１つの組織退縮面を規定する、請求項１６に記載の単一使用の使い捨てチップ。
【請求項２０】
前記チップ部材には体液を集めるための少なくとも１つの溝が形成されている、請求項１６に記載の単一使用の使い捨てチップ。
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
取り付け具を物品に固定する磁気クランプ装置であって、前記磁気クランプ装置は、
係合位置と解放位置との間で移動可能なクランプと、
前記クランプに装着される鍵磁気要素と、を備え、
前記鍵磁気要素は、少なくとも第１の磁区と、前記第１の磁区とは反対の極性の第２の磁区とを含む所定の磁区配置を有し、
前記鍵磁気要素は、前記鍵磁気要素に対応する鍵磁気力が前記鍵磁気要素に働くときに、前記クランプを前記係合位置から前記解放位置へ移動させるように構成される、磁気クランプ装置。
【請求項２】
前記鍵磁気要素が前記鍵磁気要素に対応する前記鍵磁気力にさらされるときに、前記クランプは回転軸を中心に係合位置から前記解放位置に回動するように、前記クランプは回転軸を中心に移動可能である、請求項１記載の磁気クランプ装置。
【請求項３】
前記鍵磁気要素が前記鍵磁気要素に対応する前記鍵磁気力にさらされるときに、前記係止部は、前記回転軸を中心に前記係合位置から前記解放位置まで回動するように、前記クランプは、係止部をさらに備える、請求項２記載の磁気クランプ装置。
【請求項４】
前記クランプは、少なくとも１つのばねにより前記係合位置に保持される、請求項１記載の磁気クランプ装置。
【請求項５】
前記クランプは、磁気材料から作られる、請求項１記載の磁気クランプ装置。
【請求項６】
前記クランプは、炭素鋼から作られる、請求項１記載の磁気クランプ装置。
【請求項７】
前記鍵磁気要素は、第１の磁極パターンを形成し、
前記鍵磁気要素が前記第１の磁極パターンとは反対の第２の磁極パターンにさらされるときに、前記クランプは、前記係合位置から前記解放位置へ移動する、請求項１記載の磁気クランプ装置。
【請求項８】
前記鍵磁気要素は、第１の磁極パターンを形成し、前記鍵磁気要素が前記第１の磁極パターンと同一の第２の磁極パターンにさらされるとき、前記クランプは前記係合位置から前記解放位置まで移動する、請求項７記載の磁気クランプ装置。
【請求項９】
セキュリティタグであり、
取り付け具と、
取り付け領域とクランプ領域とを有するハウジングであって、前記取り付け領域は少なくとも前記取り付け具の一部分を中に入れるように構成されている、前記ハウジングと、
前記クランプ領域内にあり、係合位置と解放位置との間を移動可能なクランプと、
前記ハウジング内に配置され、前記クランプに装着される鍵磁気要素と、を備え、
前記鍵磁気要素は、少なくとも第１の磁区と、前記第１の磁区とは反対の極性の第２の磁区とを含む所定の磁区配置を有し、
前記鍵磁気要素は、前記鍵磁気要素に対応する鍵磁気力が前記鍵磁気要素に働くときに、前記クランプを前記係合位置から前記解放位置まで移動させるように構成される、セキュリティタグ。
【請求項１０】
前記鍵磁気要素が前記鍵磁気要素に対応する前記鍵磁気力にさらされるときに前記クランプが前記回転軸を中心に前記係合位置から前記解放位置まで回動するように、前記クランプは、回転軸を中心に移動可能である、請求項９記載のセキュリティタグ。
【請求項１１】
前記クランプは、係止部をさらに備え、
前記鍵磁気要素が前記鍵磁気要素に対応する前記鍵磁気力にさらされたとき、前記係止部は前記回転軸を中心として前記係合位置から前記解放位置まで回動するように、前記クランプは、前記係止部を備える、請求項１０記載のセキュリティタグ。
【請求項１２】
少なくとも１つのばねをさらに備え、前記クランプは、前記少なくとも１つのばねによって前記係合位置に保持される、請求項９記載のセキュリティタグ。
【請求項１３】
前記クランプは磁気材料から作られる、請求項９記載のセキュリティタグ。
【請求項１４】
前記鍵磁気要素は、第１の磁極パターンを形成し、
前記鍵磁気要素が前記第１の磁極パターンとは反対の第２の磁極パターンにさらされるときに、前記クランプは、前記係合位置から前記解放位置へ移動する、請求項９記載のセキュリティタグ。
【請求項１５】
前記鍵磁気要素は第１の磁極パターンを形成し、前記鍵磁気要素が前記第１の磁極パターンと同一の第２の磁極パターンにさらされるとき、前記クランプは前記係合位置から前記解放位置まで移動する、請求項１４記載のセキュリティタグ。
【請求項１６】
前記ハウジング内に囲まれた電子式物品監視（「ＥＡＳ」）構成要素をさらに備える、請求項９記載のセキュリティタグ。
【請求項１７】
前記ハウジング内に囲まれた無線自動識別（「ＲＦＩＤ」）構成要素をさらに備える、請求項９記載のセキュリティタグ。
【請求項１８】
前記ハウジング内に囲まれた警報要素をさらに備える、請求項９記載のセキュリティタグ。
【請求項１９】
セキュリティシステムであって、
セキュリティタグと、タグ取り外し器とを備え、
前記セキュリティタグは、クランプ装置を備え、
前記クランプ装置は、係合位置と解放位置の間を移動可能なクランプと、前記クランプに装着される鍵磁気要素とを備え、
前記鍵磁気要素は、少なくとも第１の磁区と、前記第１の磁区とは反対の極性の第２の磁区とを含む磁極パターンを有し、前記鍵磁気要素は、前記クランプを前記係合位置から前記解放位置まで移動させるように構成され、
前記タグ取り外し器は、磁気領域を含み、前記磁気領域は前記鍵磁気要素に対応する鍵磁気力を前記鍵磁石要素に働かせ、前記磁気力により前記鍵磁石要素が前記クランプを前記係合位置から前記解放位置へ移動させる、セキュリティシステム。
【請求項２０】
前記セキュリティタグは取り付け具をさらに含み、前記取り付け具の少なくとも一部分は磁気材料を備え、前記取り付け具は前記クランプにより取り外し可能な状態で係合可能であり、
前記タグ取り外し器は、くぼみと、前記くぼみの近くの捕獲磁石と、をさらに含み、
前記くぼみ内に前記取り付け具の少なくとも一部を保持するために、前記捕獲磁石は、前記取り付け具の前記一部を吸引するように構成される、請求項１９記載のセキュリティシステム。
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
患者のアナトミーの診断画像内の診療発見を管理するための方法であって、前記方法は、
撮像システムを用いて新しい医療診断画像を取得することと、
前記新しい画像内の解剖学的位置における発見を特定するために、ディスプレイ上で前記新しい画像をレビューすることと、
前記ディスプレイに関連付けられたユーザー入力を介して、前記新しい画像内の前記発見の位置に解剖学的タグを付けることと、
前記新しい画像の現在の検査が完了するまで前記レビューのステップ及び前記タグ付けのステップを繰り返すことと、
前記新しい画像内にタグ付けされた前記発見を、当該アナトミーの過去にレビューされた画像内にタグ付けされた発見と比較し、新しい発見データを過去の発見データと解剖学的に関連付けることと、
前記アナトミー内の前記発見の現在の検査からの臨床情報、及び前記アナトミー内の前記発見の過去に取得された臨床情報を用いて前記アナトミー内の発見の記録を更新及び記憶することと
を含む、方法。
【請求項２】
前記更新及び記憶することは、前記新しい医療診断画像、及び前記新しい医療画像に関連するメタデータとしての前記現在の検査からの臨床情報を記憶することを含む、請求項１に記載の方法。
【請求項３】
前記レビューすることは、さらに、前記新しい画像を２アップ表示により過去にレビューされた画像とともにレビューすることを含む、請求項１に記載の方法。
【請求項４】
前記新しい画像及び前記過去にレビューされた画像を空間的に位置合わせすることと、位置合わせされた画像の組を表示することとをさらに含む、請求項３に記載の方法。
【請求項５】
前記レビューすることは、さらに、一連の空間的に位置合わせされた新しい画像及び過去にレビューされた画像の組を巡ることを含む、請求項４に記載の方法。
【請求項６】
前記レビューすることは、さらに、過去に特定された発見を含む前記過去にレビューされた画像を表示することと、空間的に位置合わせされた新しい画像内の前記発見の解剖学的位置を示すこととを含む、請求項５に記載の方法。
【請求項７】
前記発見の解剖学的位置を示すことは、十字線を用いて前記発見の解剖学的位置を示すことを含む、請求項６に記載の方法。
【請求項８】
前記発見の解剖学的位置を示すことは、前記新しい画像内の前記発見の解剖学的位置を覆い隠さないオープンな十字線を用いて前記発見の解剖学的位置を示すことを含む、請求項６に記載の方法。
【請求項９】
前記新しい画像内の発見の位置に解剖学的タグを付けることの後に、
前記アナトミーの過去の検査から、前記解剖学的位置における発見の記録を検索することと、
過去の検査から前記発見の記録が見つかった場合、現在の検査からの臨床情報を用いて前記発見の記録を更新すること、又は、
過去の検査から前記発見の記録が見つからなかった場合、現在の検査からの臨床情報を用いて新たな発見の記録を作成することと
を含む、請求項３に記載の方法。
【請求項１０】
前記発見の前記記録を更新すること及び前記新たな発見記録を作成することは、メタデータとしての臨床記録を診断画像と関連付けて記憶することを含む、請求項９に記載の方法。
【請求項１１】
解剖学的タグを有する一つ以上の発見を含む記憶装置から診断画像を呼び出すことと、
前記診断画像内の一つの発見を選択することと、
複数の異なる検査からの前記発見の臨床情報を自動的に表示することと
を含む、請求項１に記載の方法。
【請求項１２】
前記自動的に表示することは、前記選択された発見の臨床情報を前記診断画像上に表示することを含む、請求項１１に記載の方法。
【請求項１３】
前記自動的に表示することは、前記選択された発見の臨床情報を、前記診断画像の隣に表示することを含む、請求項１１に記載の方法。
【請求項１４】
前記更新及び記憶することは、さらに、画像臨床情報及び非画像臨床情報を記憶することを含む、請求項２に記載の方法。
【請求項１５】
前記更新及び記憶することは、さらに、一連の調査からの発見の記録を記憶することを含む、請求項１に記載の方法。
【手続補正書】
【提出日】平成27年6月8日(2015.6.8)
【手続補正１】
【補正対象書類名】明細書
【補正対象項目名】００２８
【補正方法】変更
【補正の内容】
【００２８】
システムの光学特性は、上記の議論では一定のまま保たれているが、より多くの光がより狭い角度で層４５を通過することが可能になるように、層４５の光学特性を変えることによって、たとえば層４５の屈折率を変えることによって、または層４５を反射防止被覆で被覆することによって、変化させることができることが、本発明によってさらに企図される。上記で論じた本発明の例示的な実施形態では、角度Ａは２０〜４５°の範囲内である。本発明の一実施形態によれば、層４５は反射防止被覆を備え、その結果、物体５０から層４５上に入射する光の角度、すなわち角度Ａを、わずか１５°とすることができる。すなわち、チャンバ内の物体５０に対する視野角および照明角の利用可能な範囲は、撮像および光ユニット４０の中心対称線Ｓに対して４５〜７０°程度から、撮像および光ユニット４０の中心対称線Ｓに対して７５°もの大きさに拡大することができる。したがって、反射防止被覆は、反射による過度の光損失をもたらすことなく、第１の斜角（α）および第２の斜角（β）の範囲の上限を７５°で達成できるようにする。